(57)【要約】  本発明は、可撓性キャリア（１０）とこの可撓性キャリアに設けられ一つ又はそれ以上の光学セキュリティ特性を形成する多層可撓性フィルム体（２）とを備えるセキュリティドキュメント（１）に関する。この多層可撓性フィルム体（２）は、光学的に活性な回析構造と結合してディスプレイエレメントを作動する電流源と組み合わされて光学セキュリティ特性を発生する電気的に制御されたディスプレイエレメントを有する。【選択図】図２
2008513861.tif 000002
【特許請求の範囲】
【請求項１】
キャリア（１０）と、該キャリアに設けられて一つまたはそれ以上の光学セキュリティ特性を形成する多層可撓性フィルム体（２、７０、９０、１０１）とを備える、特に、紙幣又は身分カードのセキュリティドキュメントであって、前記多層フィルム体（２、７０、９０、１０１）は、光学的に活性な回析構造（２４、４２，８４，８５，９６，９８，1０６）と結合してディスプレイエレメントを作動するための電流源（２３、７３、９６、１０４）と組み合わされて光学セキュリティ特性を発生させる電気的に制御されたディスプレイエレメント（２１、７１、９１、９２、９３、１０２、１０３）を有することを特徴とするセキュリティドキュメント。
【請求項２】
前記回析構造（４２）および/又はマイクロ構造が電気的に制御されたエレメント（２１、９１）と重ねられた関係で少なくとも一部に配置され、前記回析構造（４２）および/又はマイクロ構造によって形成された光学効果の光学的外観は、電気的に制御されたディスプレイエレメントによって制御されることを特徴とする請求項１記載のセキュリティドキュメント。
【請求項３】
前記電気的に制御されたディスプレイエレメントは、発光ディスプレイエレメントであり、前記回析構造は、ディスプレイエレメントの発光特性を変更することを特徴とする請求項１又は２記載のセキュリティドキュメント。
【請求項４】
前記回析構造（８４、９７、１０６）は、前記電流源（７３、９６、１０４）と重なる関係で少なくとも一部に配置されていることを特徴とする前記請求項の一つに記載のセキュリティドキュメント。       
【請求項５】
前記電流源（２３、７３、９６、１０４）が太陽電池であることを特徴とする前記請求項の一つに記載のセキュリティドキュメント。
【請求項６】
前記回析構造（８４、８５）および/又はマイクロ構造は、太陽電池（８７）を囲む表面領域から太陽電池へ光を供給するかまたは太陽電池の効率を増大することを特徴とする請求項５に記載のセキュリティドキュメント。
【請求項７】
光を太陽電池へ供給する回析構造は、光学的に認識可能なセキュリティ特性を形成することを特徴とする請求項６記載のセキュリティドキュメント。
【請求項８】
前記太陽電池（９６）は、パターンまたは像の形態に形成され且つキャリアの包囲印刷設計と正確に整合する関係で配置されていることを特徴とする請求項５乃至７の一つに記載のセキュリティドキュメント。
【請求項９】
前記太陽電池（２３）は、部分的にパターン形態で刷り重ねられていることを特徴とする請求項５乃至８の一つに記載のセキュリティドキュメント。
【請求項１０】
前記回析構造は、ディスプレイエレメントに隣接して配置されていることを特徴とする請求項１記載のセキュリティドキュメント。
【請求項１１】
前記可撓性多層フィルム体およびセキュリティドキュメントの隣接領域には共通の実質的に不透明な刷り重ねがパターン形態で設けられていることを特徴とする前記請求項の一つに記載のセキュリティドキュメント。
【請求項１２】
前記パターン形態の刷り重ねは、特性を有する情報を含んでいることを特徴とする請求項１１に記載のセキュリティドキュメント。
【請求項１３】
前記ディスプレイエレメントは、パターン形態で部分的に刷り重ねられ、該刷り重ねは、好ましくは、特性を有する情報を含んでいることを特徴とする前記請求項の一つに記載のセキュリティドキュメント。
【請求項１４】
前記ディスプレイエレメントには、レーザー除去によって特性を有する情報が設けられることを特徴とする前記請求項の一つに記載のセキュリティドキュメント。
【請求項１５】
前記ディスプレイエレメント（２１、７１）は、パターン又は数の形態に形成された有機発光ダイオードを有することを特徴とする前記請求項の一つに記載のセキュリティドキュメント。
【請求項１６】
前記ディスプレイエレメントは、パターン又は数の形態に形成されたエレクトロクロミックエレメント（９１、９２、９３）を有することを特徴とする前記請求項の一つに記載のセキュリティドキュメント。
【請求項１７】
前記ディスプレイエレメントは、二つの電極層（６１、６６）間に配置された色が異なり且つ充電が異なる複数の粒子（６４、６５）を有することを特徴とする前記請求項の一つに記載のセキュリティドキュメント。
【請求項１８】
前記セキュリティドキュメントは、透明な窓（１０１）を有し、ディスプレイエレメント（１０２、１０３）は、前記透明な窓に配置されていることを特徴とする前記請求項の一つに記載のセキュリティドキュメント。
【請求項１９】
前記回析構造は、少なくとも一部が電子回路上に配置され、前記電子回路は、有機半導体エレメントから成り且つディスプレイエレメントを制御することを特徴とする前記請求項の一つに記載のセキュリティドキュメント。
【請求項２０】
前記多層フィルム体は、バッテリー又はエネルギ蓄積のためのキャパシタを有することを特徴とする前記請求項の一つに記載のセキュリティドキュメント。
【請求項２１】
前記可撓性多層フィルム体（２，４，５，６，７）は、光学回析セキュリティ特性を生ずるように形成された光学回析リリーフ構造（４２）を有する複製ラッカー層と、電気的に制御されたディスプレイエレメントの二つ以上の電気的機能層とを有することを特徴とする前記請求項の一つに記載のセキュリティドキュメント。
【請求項２２】
前記多層フィルム体は、有機半導体材料から成る少なくとも一つの電気機能層を有することを特徴とする請求項１８に記載のセキュリティドキュメント。
【請求項２３】
前記キャリア（１０）は、ペーパー材料から成ることを特徴とする前記請求項の一つに記載のセキュリティドキュメント。
【請求項２４】
前記多層フィルム体（２、３０、６０、７０）は、転写フィルム（３、４、５、６、７）の転写層配置としてキャリアに設けられることを特徴とする前記請求項の一つに記載のセキュリティドキュメント。
【請求項２５】
一つまたはそれ以上の光学セキュリティ特性を形成する多層可撓性フィルム体（２、３０、６０、７０）をセキュリティドキュメント、特に紙幣または身分カードのキャリア（１０）に形成し且つキャリアフィルム（３１、７４）と前記多層フィルム体（２、３０、６０、７０）を形成する転写層配列とを有する転写フィルム（３、４、５、８、７）であって、前記多層フィルム体（２、３０、６０、７０）は、光学的に活性な回析構造（２４、４２，８４，８５，９６，９８，1０６）と結合してディスプレイエレメントを作動するための電流源（２３、７３、９６、１０４）と組み合わされて光学セキュリティ特性を発生する電気的に制御されたディスプレイエレメント（２１、７１、９１、９２、９３、１０２、１０３）を有することを特徴とする転写フィルム（３，４，５，６，７）。
【発明の詳細な説明】
【技術分野】
【０００１】
本発明は、キャリアとこのキャリアに設けられた一つ又はそれ以上の光学的セキュリティ特性を形成する多層可撓性フィルム体とを備えるセキュリティドキュメント、特に、紙幣又は身分カードに関するものである。
【背景技術】
【０００２】
現在のカラーコピーおよび他の再生システムによって設けられる可能なオプションについて、セキュリティ特性がセキュリティドキュメント（防犯文書）に設けられ、このセキュリティ特性が、一方では、この種の装置を用いて偽造を行うのを困難にさせ、他方では、このセキュリティ特性を一般の人に容易に且つ明瞭に認識できるようにすることが必要である。
【０００３】
この目的のために、セキュリティスレッド（繊維）の形態のセキュリティエレメントが、価値のあるドキュメントに導入されることが知られており、このような構造では、スレッドの一部が表面に露出され、このスレッドに導入される光学セキュリティエレメント、例えば、ホログラム又は部分的な非金属化部分がそれを見る人によってチェックされるようになっている。
【０００４】
電子回路をシート又はペーパーのストリップに印刷させる技術が知られている（特許文献１参照）。この電子回路は、有機半導体材料から成り、導電パスによって紙幣における金属ストリップに接続されている。この場合に、電子回路は、通常の半導体材料から形成された電子部品に基づくものでないが、ポリマー半導体技術を用いる有機フィールド効果のトランジスタに基づいている。この場合、金属ストリップがアンテナとして機能し、このアンテナによって半導体回路と、対応する評価回路との間で通信が可能である。このように、電子回路が偽造を検出するために機能するが、更に、ドキュメントの位置を検出することも可能である。
【特許文献１】ＥＰ１１３４６９４Ａ１
【発明の開示】
【発明が解決しようとする課題】
【０００５】
さて、本発明の目的は、改良されたセキュリティドキュメントを提供することにある。
【課題を解決するための手段】
【０００６】
この目的は、キャリアと、このキャリアに設けられた多層フィルム体とを備え、この多層フィルム体が、光学的に活性な回析構造と結合してディスプレイエレメントを作動するための電流源と組み合わされて光学セキュリティ特性を発生する電気的に制御されたディスプレイエレメントを有するセキュリティドキュメントによって達成される。
【０００７】
上記目的は、更に、一つまたはそれ以上の光学セキュリティ特性を形成する多層可撓性フィルム体をセキュリティドキュメントのキャリアに形成し、キャリアフィルムと多層フィルム体を形成する転写層配列とを有し、その多層フィルム体が、光学的に活性な回析構造と結合してディスプレイエレメントを作動するための電流源と組み合わされて光学セキュリティ特性を発生するようにした電気的に制御されたディスプレイエレメントを有する転写フィルムによって達成される。
【０００８】
光学可変エレメントと、電気的に制御されたディスプレイエレメントと、電流源とは、好ましくは可撓性の多層フィルム体に一体化され、次いで、好ましくはペーパー材料から成るキャリアに設けられる。この場合に、光学可変エレメントは、多層フィルム体の電気機能構造に一体化され、この結果、これらのエレメントは、それら自体の互いのセキュリティを形成し、従って、フィルム体によって形成された光学セキュリティ特性の偽造又はイミテーションが容易に防止される。この点について、電気的に制御されたエレメントによって発生した光学効果および光学可変エレメントによって生じた光学効果が相俟って、偽造等のための操作が、これに応じてかなりの程度で防止されることになる。
【０００９】
本発明の好ましい実施例によれば、電気的に制御されたディスプレイエレメントと回析構造とは、少なくとも一部で重なり、この結果、回析構造によって生じた光学効果の光学的外観は、少なくとも一部が電気的に制御されたディスプレイエレメントによって影響される。従って、例えば、回析構造、例えば、ホログラムによって形成された光学効果の光学的外観が電気的に制御されたディスプレイエレメントによって影響され得る。この点について、電気的に制御されたディスプレイエレメントを発光ディスプレイエレメントに形成し、回析構造について、ディスプレイエレメントの発光特性を変えることができる。このように、通常の技術を用いて偽造が困難な新規な著しく簡易な光学可変効果を達成することができる。
【００１０】
更に、電気的に制御されたディスプレイエレメントを他の光学的に活性なマイクロ構造、例えば、マット構造又は屈折マイクロ構造、例えば、マイクロレンズ構造によって更に重ね合わせることができる。この点において、マイクロ構造は、特に、横方向の寸法が１００μｍ以下に設定されている。
【００１１】
本発明の更なる好ましい実施例によれば、回析構造が電流源と少なくとも一部がオーバーラップして（重なって）配置されている。光学的に活性な回析構造の電流源へのオーバーラップおよび/又は一体化のために、それらは互いに一体のユニットを形成し、従って、互いに分離することができなく、特に、偽造等の操作に対して高度の安全性を保持することができる。
【００１２】
電流源は、この場合には、好ましくは、太陽電池から成っている。このように太陽電池を用いると、更なる活性電子部品を配置することなく、電気的に制御されたディスプレイエレメントによって有益な光学セキュリティ特性をもたせることを可能にする。これは、本発明に係るセキュリティドキュメントが特に安価に製造できることを意味する。
【００１３】
しかし、太陽電池の代わりに、例えば、電流源としての高周波数電磁放射体に接続するようにした印刷されたバッテリー又はアンテナ構造を用いることができる。従って、例えば、情報の項目を携帯ラジオ装置によってチェックすることができる。
【００１４】
好ましくは、（回析）マイクロ構造は、光を、太陽電池を囲む表面領域から太陽電池へ供給するか、又は太陽電池の局部的効率を増大する。このように、一方では、太陽電池に供給されたエネルギが増大されて太陽電池と太陽電池を囲む領域の外観は、光学可変装飾効果をもって重ね合わされる。この場合に、（回析）マイクロ構造を、太陽電池の活性媒体の上側および/または下側に配置させることができ、太陽電池の効率を向上することができる。反射防止構造、例えば、モスアイ（motheye）の構造が太陽電池上に配置されている場合、４%のフレネル反射を削減することができ、従って、太陽電池の効率を向上することができる。光学的に活性な交差格子、例えば、８６０線/ｍｍを有する正弦曲線の交差格子が太陽電池の下側に配置され、かくして、太陽電池の活性媒体を介してこの太陽電池の活性媒体に伝達された光の一部を結合することにより、太陽電池の効率を更に向上させることができる。このように、一つ又はそれ以上の供給領域をカバーすることによって、電気的に制御されたディスプレイエレメントによって発生された光学効果を使用者が変更することができる。また、太陽電池を広範囲に亘って光学的にカバーすることができ、従って、観察者から遮蔽することができるにもかかわらず、それでもなお十分な量の放射エネルギを太陽電池に供給することができる。この点について、好ましくは、回析構造は、放射エネルギを太陽電池に集中させる機能と共に、太陽電池の領域に光学可変セキュリティドキュメントを観察者に提供させるという機能とを有する。
【００１５】
特に、通常の技術/機能形態、例えば、矩形であるが、セキュリティエレメントの設計に挿入されるパターン又は像の形態では設計されない太陽電池によって幾つかの利点を達成することができる。従って、放射エネルギを電気エネルギに変換する純粋な電気機能の他に、太陽電池は、例えば、観察者に特定のイメージ情報を示す光学セキュリティエレメントの機能を更に含むことになる。また、太陽電池をパターン形態で部分的に刷り重ねすることができ、従って、セキュリティドキュメントの特性を光学セキュリティ特性の背景領域として機能することができる。
【００１６】
本発明の更なる好ましい実施例によれば、回析構造は、電気的に制御されたディスプレイエレメントに隣接して配置され、この結果、電気ディスプレイエレメントによって発生した光学効果および回析構造によって発生した光学効果は、互いに情報を補足する項目を形成する。このように、一方のエレメント又は他方のエレメントの任意の変更又は操作を、観察者が直ちに見ることができ、これによって偽造に対する安全性のレベルが更に向上される。
【００１７】
ディスプレイエレメントは、例えば、有機発光ダイオードを有し、この発光ダイオードは、パターン又は数の形態に形成されている。こうして、このディスプレイエレメントは、パターン又は数の形態で所定の波長の光を発する構造を形成する。更に、パターン又は数の形態に形成されたエレクトロクロミックエレメントをディスプレイエレメントに持たせることができる。かくして、ディスプレイエレメントは、印加された電圧に応じてパターン又は数を異なる色で示すようにした構造を形成する。二つの電極層間に移動可能に配置された複数の異なる色、異なる充電を有する粒子をディスプレイエレメントに設けることができる。電圧を電極層間に印加することによって、一方又は他方の粒子の濃度を、一方又は他方の電極の近傍で変更することができ、この結果、ディスプレイエレメントの光学的印象が、印加された電圧又は電圧の極の逆転に従って変更する。
【００１８】
特に、セキュリティドキュメントが透明な窓を有し、ディスプレイエレメントがその透明な窓に配置されている場合、幾つかの利点が達成され得る。しかし、ディスプレイエレメントと重ね合わされる関係にあるディスプレイエレメントおよび回析構造は、セキュリティドキュメントの前側および後側から視認可能であり、その他、透光モードで観察されたとき、認識だけをすることができるセキュリティ特性を有することができる。ここでは、前側および後側において観察印象が異なるようにした電気的に制御されたディスプレイエレメントを用いることができることが特に利点である。
【００１９】
本発明の更なる好ましい実施例によれば、可撓性の多層フィルム体は、有機半導体部品から形成され且つディスプレイエレメントを制御する電子回路を有している。この電子回路は、例えば、ディスプレイエレメントのフラッシュ又は例えば、‘連続発光’効果の如き、更なる効果を制御するオシレータ回路を有する。この場合に、好ましくは、電子回路は、光学セキュリティ特性を形成するようにした光学的に活性な回析構造によって少なくとも一部が重ね合わされる。
【発明の効果】
【００２０】
これは上述した利点を有することになる。この点について、適切な材料を用いて観察者が電子回路を視認することができる。更に、例えば、金属電極層を光学的に活性な金属反射層と同じ工程で発生させることができる。
【００２１】
可撓性の多層フィルム体の層構造は、光学回析効果を有するセキュリティ特性を発生するように形成された光学回析活性リリーフ構造を有する複製ラッカー層と、電気的に制御されたディスプレイエレメントの二つ以上の電気機能層とによって識別される。この場合に、好ましくは、多層フィルム体は、有機半導体材料から成る少なくとも一つの電気機能層を有する。この多層フィルム体は、好ましくは、転写フィルム、例えば、ホットスタンピングフィルムの転写層配列を備え、この転写フィルムは、セキュリティドキュメントのキャリアに設けられ、このキャリアは、好ましくは、ペーパー材料から成っている。
【００２２】
偽造に対する安全性のレベルを更に高めることは、電気的に制御されたディスプレイエレメントを含む可撓性の多層フィルム体とセキュリティドキュメントの隣接領域とが共通の実質的に不透明な刷り重ねをパターン形態で適用した後に設けられ、従って、適用された多層フィルム体の境界が観察者の観点から光学的に解像されることによって達成される。
【００２３】
更に、光学回析効果を有する光学可変エレメントの他に、可撓性の多層フィルム体は、また、異なった種類の光学効果を発生する更なる光学可変エレメントを有する。例えば、フィルム体は、見る角度によって色変化を発生する薄いフィルム層システムと、偏光効果を発生するようにした配向され架橋された液晶層又は見る角度によって色をシフトするコレステリック液晶層とを有する。この種の光学変更エレメントは、好ましくは、多層フィルム体の電気部品に重ね合わされまたは一体化される。
【発明を実施するための最良の形態】
【００２４】
以下、本発明を実施する最良の形態を、これを具体化する実施例について図面を参照して詳細に説明する。
【実施例】
【００２５】
図１および図２は、紙幣の形態にあるセキュリティドキュメント１を示す。このセキュリティドキュメント１は、略１００μｍの厚さを有するペーパー材料のキャリア（支持体）を備えている。このキャリア１０は、その両側に着色プリント１１、１２が例えばオフセット印刷を用いて印刷されている。このような印刷をしないで、即ちキャリア１０がフィルム体２の適用後に印刷１１、１２のみを印刷することもできる。この印刷は、数字“１”、“２”がここでは緑色である図１の例によって示される。更に、可撓性のフィルム体２が転写工程によって印刷されたキャリア１０に設けられる。更に、このフィルム体２を設ける前に、ラッカー層あるいはプライマー層を、フィルム体２が施されるキャリア１０の領域に設けることができる。例示として、フィルム体２は、ホットスタンピング工程によって図１に示されたセキュリティドキュメント１２の領域に設けられている。次いで、このフィルム体２には、印刷２５が例えば、インタリオ印刷（凹版）によって一部の領域に重ねて設けられている。
【００２６】
更に、セキュリティドキュメント１を、身分ドキュメントまたは通帳であるように形成することもできる。この場合に、キャリア１０は、例えば、機械的に安定したプラスチックフィルムまたはプラスチックラミネート、例えば、ポリカーボネートから作ることができる。更に、このような用途の場合に、例えば、防護層として作用する一つまたは複数のプラスチック層を、フィルム体２および必要なら印刷２５上に設けることができる。従って、このような用途の場合に、フィルム体２は、その両側を防護層として機能して長寿命を図るようにした更なるフィルム層によって包むことができる。一つの使用例として、フィルム体２を、二つのポリカーボネートキャリア層の間にラミネート（積層）することができる。
【００２７】
可撓性のフィルム体２は、ディスプレイエレメント２１と、このディスプレイエレメントに電気的に接続された電子回路２２と、太陽電池２３および光学可変エレメント２４とを有する。
【００２８】
この光学可変エレメント２４は、回折セキュリティエレメント、例えば、ホログラムまたはキネグラム（登録商標：Kinegram）から成っている。しかし、フィルム体２、又は架橋され配向された層に一体化された薄いフィルム層システムの光学可変エレメント２４にその（コレステリック）液晶材料を設けることもできる。また、更なる光学可変エレメントをフィルム体２に一体化させることもでき、このようなエレメントは、太陽電池２３、電子回路２２およびディスプレイエレメント２１の領域でフィルム体２に一体化されるのが好ましい。
【００２９】
その上、セキュリティドキュメント１に、更なる光学的セキュリティ特性を持たせることもできる。従って、セキュリティ糸状体または透かし模様をキャリアに導入させるか、印刷１１、１２またはフィルム体２に、有効な顔料、例えば、液晶顔料、または干渉層顔料を含む印刷を設けることもできる。
【００３０】
以下、フィルム体の詳細な構造を図３乃至図５ｃを参照してより詳細に説明する。
【００３１】
図３は、数字５、電子回路２２、太陽電池２３、光学可変エレメント２４の形態に形成されたディスプレイエレメント２１を有する可撓性多層フィルム体２の平面図である。図３に示すように、このフィルム体２は、ディスプレイエレメント２１、電子回路２２、太陽電池２３、電子回路２２からディスプレイエレメント２１および太陽電池２３に導く電気接続部の領域および光学可変エレメント２４の領域において不透明であり、残りの領域においては透明であり、この結果、この残りの領域おいては、観察者が印刷１１のグラフィック構造を、視認することができる状態に構成されている。印刷２５は、太陽電池２３の領域でフィルム体２に印刷され、この結果、太陽電池２３の光学的外観を、図１に示すように、印刷２５によって変化させることができる。尚、このような印刷を省略することもできる。
【００３２】
フィルム体２は、転写フィルム３の転写層配置を形成し、この転写フィルム３は、その一部が図４に示されていて、キャリアフィルム３１、剥離層３２およびフィルム体２を備えている。
【００３３】
キャリアフィルム３１は、１０μｍ乃至１００μｍの厚さを有するＰＥＴフィルムを備え、更なる製造工程の過程でキャリアフィルムの歪みを最小化するためにこのフィルムを単軸又は二軸方向に引き伸ばすことができるようにすることが好ましい。従って、剥離層３２は、キャリアフィルム３１に設けられ、且つワックスのような材料から成っているのが好ましい。次いで、０．５μｍ乃至５μｍ、好ましくは、１μｍ乃至２μｍの厚さを有するラッカー層３３が印刷工程によって設けられる。この場合に、このラッカー層３３は、透明な防護ラッカー層である。次いで、複製ラッカー層３４がラッカー層３３に設けられる。この複製ラッカー層３４は、熱可塑性の又は架橋結合されたポリマーから成り、このポリマーには、回折構造が領域２６および光学可変エレメント２４の領域に熱および圧力下で複製工具によって複製される。この目的のために、例えば、熱可塑性の複製ラッカーが、インタリオ印刷スクリーンローラによって防護ラッカー層３３に含まれる全表面領域に亘って設けられ且つ乾燥され、次いで、回折構造４２がスタンピングダイによって上述の領域に埋め込まれる。
【００３４】
複製ラッカーを構成するために、照射-架橋結合可能なラッカーを防護ラッカー層３３に設けることもでき、次いで、回折構造４２をＵＶ複製によって複製ラッカー層に形成させることができる。
【００３５】
次いで、光学分離層３５が、電気的に制御されたディスプレイエレメント２１の領域において、複製ラッカー層３４に設けられる。この場合に、光学分離層３５を、複製ラッカー層３４とは著しく異なる屈折率を有するラッカー層に形成することができる。しかし、好ましくは、光学分離層３５は、適当な誘電体、例えば、IiO2又はZnS（HRIのため）又はMgF2（LRIのため）のHRI又はLRI層（HRIは、高屈折率を示し、LRIは、低屈折率を示す）であることが好ましい。
【００３６】
次いで、電極層３６がフィルム体に設けられて構成されている。この場合に電極層３６は、図３に示された数字‘５’の形態でディスプレイエレメント２１の領域に形成され、透明な導電性材料、例えば、インジウムスズ酸化物又は導電性ポリマー、好ましくは、ポリアニリン又はポリピロールを備えている。しかし、電極層３６を、きわめて薄く且つ少なくとも部分的に透明な層、例えば、金又は銀から形成させることもできる。
【００３７】
この場合に、電極層３６は、すでに形成されているときに、例えば、この電極層が導電ポリマーを備えている場合、印刷工程によって光学分離層３５に設けられる。更に、電極層３６が、その下方に配置されたフィルム体にその全表面領域に亘って設けられ、次いで、ポジ／ネガのエッチング又はレーザー吸収によってその一部の領域が除去され、この結果、この電極層３６は、ディスプレイエレメント２１の領域で図３に示された形態を有する。好ましくは、この場合に形成された電極層３６は、ディスプレイエレメント２１のための電極の機能を果たすばかりでなく、同時に、電子回路２２および太陽電池２３の電極層を形成し、且つディスプレイエレメント２１、電子回路２２および太陽電池２３の対応する電極層間に導電通路（パス）を形成するために必要な構造を有する。
【００３８】
この点について、もし、電極材料と複製ラッカーとの間の屈折率が全体的に高く又は薄い部分的に透明な材料層が電極層として用いられた場合には、ディスプレイエレメント２１の領域における光学分離層３５を省略することもできる。
【００３９】
次いで、層３７、３８が、ディスプレイエレメント２１の領域で電極層３６に設けられる。次いで、電極層３９が設けられ、この電極層は、電極層３６を参照して述べられるように、表示されるべき情報の項目の形態、即ち、図３に示された数字‘５’の形態でディスプレイエレメント２１の領域に形成される。この場合に、電極層３９は、例えば、銅、銀、アルミニュウム又は金等の薄い反射金属層から成っている。二つの電極層３６、３９と二つの半導体層３７，３８とは、有機発光ダイオード（ＯＬＥＤ）を形成し、電極層３６は発光ダイオードのアノードを形成し、電極層３９はそのカソードを形成している。この場合に、半導体層３８，３９は、印刷工程によって設けられるのが好ましい。更に、エレクトロルミネセントポリマー、例えば、ＰＰＶ又はＰＯＬＹ（９、９'フルオレンジオクチル）の一つの層のみがアノードとカソードとの間に約１５０ｎｍの厚さで設けることができる。有機発光ダイオードおよびそれに用いられる材料に関するより詳細な情報については、例えば、ＷＯ９０/１３１４８を参照されたい。特に、層３８乃至４０をディスプレイエレメント２１の領域に設けることによって、更なる電気的機能層を電子回路２２および太陽電池回路２３に設けることが有効となり、これらの更なる層は、太陽電池２３および電子回路２２の対応する機能を達成することができる。
【００４０】
この場合に、太陽電池２３は、有機太陽電池層の形態で実施されるのが好ましい。このような最も簡易な太陽電池は、例えば、透明電極層、例えば、電極層３６と金属電極層、例えば、電極層３９との間に配置されたＰＰＶ-ポリ（パラ-フェニレン-ビニレン）の共役ポリマーの層から成っている。この点についての有機半導体層の厚さは、通常、約１０乃至１００ｎｍの範囲である。更に、一つまたは複数層を、電極間で太陽電池２３の領域に配置することができ、これらの層は、ドナー分子およびアクセプター分子から成る。これらドナーおよびアクセプターは、太陽の光スペクトルに適合し、これによって、太陽電池の有効性を向上させることができる。ポリマー、顔料およびインクがドナーおよびアクセプターとして用いられ、これらは、この場合には、半導体ポリマーの上記単一層配置について太陽電池のエネルギー吸収スペクトルを改善する。このような太陽電池は、例えば、単一の顔料層、ドナーの層およびアクセプターの層（顔料/顔料；ポリマー／ポリマー）又はドナーとアクセプターとの混合（顔料/顔料；ポリマー／ポリマー又はポリマー／インク）から成る。更に、用いられる材料のためにフィルム体２に特に良好に一体化された上記有機太陽電池の代わりに、薄いフィルムシリコン太陽電池又はＤＳＳＣ（染料増感太陽電池）を用いることができる。
【００４１】
電子回路２２の領域において、有機絶縁材料、例えば、ポリビニールフェノール、有機半導体、例えば、好ましくは、０．５μｍ乃至１μｍの厚さを有するポリアニリン、ポリピロール、又はドープポリエチレンの如き、ポリシオフェンおよび/又は金属又は有機電極材料から成る複数の更なる構造層が形成された電極層３６に設けられる。この場合に、これら材料は、液体、溶解又は懸濁の形態で適用され、次いで乾燥または他の態様で固化される。これらの層を設けると、一つ又は複数の電気部品、例えば、所望の作動、例えば、オッシレータの作動モードを行う有機トランジスタ、抵抗、コンデンサの電子回路２２の領域での形成を行うことができる。
【００４２】
光学可変エレメント２４の領域において、反射層が回析リリーフ構造に設けられ、この回析リリーフ構造は、その領域で層３４に複製される。この反射層は、薄い金属層、例えば、電極層３９であるのが好ましい。しかし、光学分離層３５を光学可変エレメント２４の領域に設け、従って、半透明な光学可変エレメント２４を形成することができる。
【００４３】
次に、防護ラッカー層４０および接着層４１が上述のように製造され且つ複数の異なる構造層から作られたフィルム体に設けられる。接着層４１は、熱活性又は放射-架橋可能な接着剤から成る層であるのが好ましい。
【００４４】
更に、回析構造を有する複製ラッカー層３４を、ディスプレイエレメント２１の電気機能層の上方でなく、下方に配置させることもできる。
【００４５】
図４ｂは、キャリアフィルム３１、剥離層３２、防護ラッカー層３３、透明な電極層３６、エレクトロルミネセント３８および電極層３９を有する転写フィルム４を示す。この場合に、エレクトロルミネセントポリマー層は、二つ以上の層又は複数の材料の混合物を有する層システムを含むことができる。ここでの電極層３９は、構成される反射金属層ではないが、透明な導電材料、例えば、インジウムスズ酸化物から成る層又は透明に見える格子状の材料層である。次いで、複製ラッカー層３４は、透明電極層３９に設けられ、回析構造４２は、複製ラッカー層３４に形成される。次いで、反射層４３、好ましくは、反射金属層又は反射増大層、例えば、図４の層３５が層３４に設けられる。このような方法で、ディスプレイエレメント２１は、キャリア１０に形成された透明な窓に配置される限り、セキュリティドキュメントの前側の方向および後側の方向の両方に光を放出することができる
次いで、図４aに示された接着層４１が設けられる。
【００４６】
図４ｂの実施例では、ディスプレイエレメント２１の領域に設けられた回析構造と光学可変エレメントの領域に設けられた回析構造との両方が複製ラッカー層３４に形成されており、この結果、複製ラッカー層３４が、ディスプレイエレメント２１、電子回路２２および太陽電池２３の電気機能層を含んだ全表面領域に亘って被覆してそれらを操作から保護するのが好ましい。
【００４７】
ディスプレイエレメントの領域２６に形成された回析構造は、回析パターン、例えば、ホログラム又はキネグラムを発生する構造であるのが好ましい。エネルギがディスプレイエレメント２１を形成する有機発光ダイオードに供給されると、ホログラム/キネグラムが、層３８又は層３８、３９のそれぞれのエレクトロルミネセントポリマーの合成によって定められるカラーで発光する。この点について、図４aに示された実施例では、層３４、３５間の屈折率のわずかな相違を調節することによって、ディスプレイエレメント２１を形成する有機発光ダイオードにエネルギが供給されたときのみ、ホログラム/キネグラムが視認できるように設定させることができる。
【００４８】
更に、ディスプレイエレメント２１の領域に、光学回析効果を有し且つ有機発光ダイオードによって発光された光の発光特性に厳密に且つ本質的に影響を与える構造を形成することができる。従って、その領域２６に有機発光ダイオードによって発光された光を所望方向に偏向する発光格子を形成することができる。このようにして、通常の観察方向からみたとき、ディスプレイエレメントをきわめて強く発光させることができ、セキュリティドキュメントが１８０度回転されるとき、ディスプレイエレメントを弱く発光させることができる。この点において、所望の発光特性を達成するために、屈折および回析エレメントをディスプレイエレメントの領域で共に結合させることができる。
【００４９】
更に、図４aおよび図４ｂの実施例では、電気機能層上に形成された回析構造を有する複製ラッカー層および電気機能層下に形成された回析構造を有する複製ラッカー層の両方を共に結合してフィルム体２に設けることができる。この構造は、操作から保護するレベルを高める。更に、この構造は、特に、透光モードで観察するとき、有益な効果を生じさせる可能性を提供する。従って、観察者が見る回析構造の異なる形態によって、セキュリティドキュメント１の前側およびその後側の方向でキャリア１０の透明な窓の領域に配置されたとき、ディスプレイエレメントの光学的外観が異なることを示すことができる。
【００５０】
更に、二つの互いに重ね合わされた有機発光ダイオードを、キャリア１０の透明な窓の領域でフィルム体２に設けることができ、それらダイオードの一つは、セキュリティドキュメントの前側の方向に発光し、他のダイオードは、セキュリティドキュメントの後側の方向に発光する。このように、電気制御の下で、セキュリティドキュメントの前側および後側の方向で異なる観察印象を達成することができる。
【００５１】
更に光学的効果を発揮させるために、二以上の互いに並列に配置され別個に起動可能な有機発光ダイオードをディスプレイエレメント２６の領域に配置させることができる。従って、個別に起動可能な有機発光ダイオードを、例えば、フラグまたは数字‘１００’の形態に配置させることができ、この結果、フラグおよび数字‘１００’は、三つの異なる色で発光する。
【００５２】
ディスプレイエレメント２１として有機発光ダイオードを用いる他に、ディスプレイエレメント２１としてエレクトロクロミックエレメントを設けることができる。このようなエレクトロクロミックエレメントは、電圧が印加されると直ちにその色を変化させる。ディスプレイエレメント２１の構造とエレクトロクロミックエレメントの用途とは、図４ｃを参照して例示が後述される。
【００５３】
図４ｃは、キャリアフィルム３１、剥離層３２および転写層配置５０を備える転写フィルム５を示す。転写層構造５０は、図４aに示されるように、防護ラッカー層３３と、回析構造４２が形成された複製ラッカー層３４と、光学分離層３４と、防護層４０（必要なら）と、接着層４１とを有する。ディスプレイエレメント２１の領域で光学分離層３５と防護ラッカー層４０との間には層５１乃至５５が図３に示された形態で構成された互いに重ねられた関係に設けられてエレクトロクロミックエレメントを形成する。これら層５１乃至５５は、透明な導電性電極層であり、例えば、図４aに示された電極層３６に関して述べられた材料が用いられる。中央層５３は、ポリマー電解質または含水金属酸化物から成っている。中央層に接続する層５２、５４は、電気化学層またはイオン包含層から成る。用いられたエレクトロクロミックポリマーは、例えば、ポリ（３、４-エチレン二酸化チオフェン）、ポリ（スチレンスルホン酸）ＰＳＳを有するＰＥＤＯＴから形成することができ、これによって、透明な状態からダークブルーの状態に色を変化させることができる。イオン包含層として、例えば、ナノ結晶チタン酸化層を用いることができる。更に、着色が異なり且つ充電が異なる粒子が二つの電極層間に移動可能に配置される層構造の態様になるように二つのディスプレイエレメント２１を選択することができ、これによって一方の粒子または他方の粒子の集中を、対の電極への電圧の印加によって一方の電極の方向に又は他方の電極の方向に変えることができる。この種のディスプレイエレメントをディスプレイエレメントに使用することを示す実施例が、図４ｄに示されている。
【００５４】
図４ｄは、キャリアフィルム３１、剥離層３２、および転写層配列６０を有する転写フィルム６を示す。転写層配列６０は、図４aに示されるように、防護ラッカー層３３と、回析構造４２が形成された複製ラッカー層３４と、光学分離層３５と、防護ラッカー層４０と、接着層４１とを有する。ディスプレイエレメント２１の領域で層３５と層４０との間には図３に示された形態で電極層６１、６６が設けられ、更には、マイクロカプセル６３を有する重ねられた層６２が設けられ、このマイクロカプセルは、それぞれ黒で着色され正に充電された粒子６４と白で着色され負に充電された粒子６５とを含む。電極層６１、６６は、透明な導電材料、例えば、図４aの電極層３６に関して述べられた材料の一つから成っている。マイクロカプセル６３は、１００μｍより小さい直径を有するのが好ましい。それらは、それぞれが正、負に充電された粒子６４、６５が自由に移動できるように透明流体と共に充填される。従って、電極６１、６６のそれぞれの充電に基づいて、マイクロカプセルの頂部は、白に見え、下側は黒に見える。これらの逆もまた同様である。
【００５５】
更に、層６１と層６６との互いの間隔を複製ラッカー層３４によって形成するようにした支持構造を設けることが有益であり、この支持構造の領域において複製ラッカー層３４は、マイクロカプセルの直径の領域における厚さ（例えば、８０μｍ）を有する。好ましくは、この種のリリーフ形状はＵＶ複製によって複製ラッカー層３４に導入される。
【００５６】
マイクロカプセルの用途の代わりに、ここでは、層６２のマイクロ構造によって人間の眼の解像度以下のマイクロスフェア（マイクロ単位の微粒子）を形成することもできる。既に上述された正負に充電された粒子６４、６５は、それぞれマイクロスフェアに形成される。この点について、これら粒子が白、黒、例えば二色のコントラスト色に着色される必要はなく、この結果、印加される電圧に応じて着色印象を変化させることもできる。
【００５７】
また、ディスプレイエレメント２１のために、液晶をベースとしたディスプレイエレメントを用いることもできる。好ましくは、ここでは、黒の背景を用いるとき、黒の状態と着色状態との間の色変化を示す双安定のコレステリックＬＣ材料が用いられる。この種のディスプレイがポラライザー（偏光子）を必要としないので、好ましく構成されたＩＴＯ層が電極層として用いられる。この層の厚さ、例えば、１５μｍを制御するために、構成された間隔層が二つの電極層の間に設けられ、次いで、この間隔層にコレステリックＬＣ材料が導入される。この場合に、コレステリック材料は、例えば、メルク社からのＥ７を重量比で６０%、ＣＥ２を１０%、ＣＢ１５を２０%含み、次いで、ＵＶ架橋モノマー、例えば、ノーランド社からのＮＯＡ６５を用いて８５：１５の比で混合される。
【００５８】
更に、図４ｂを参照して述べられた設計変更を、図４ｃおよび図４ｄの実施例、更には、フィルム体２における液晶系のディスプレイエレメントの配列に施すこともできる。
【００５９】
更に、図４aまたは図４ｂに示された回析構造４２を、太陽電池２３の領域に配置させることもできる。一方、そのような方法でフィルム体の光学的外観が、例えば、ホログラムの重ね合わせによって太陽電池の領域において影響され得る。また、その方法で、太陽電池２３への光の供給および太陽電池２３の効率に影響を与えることができる。従って、例えば、マット構造を、太陽電池２３の領域で図４ｂに示された複製ラッカー層３４に形成させ、これによって、その領域における太陽電池の効率を改善することができる。この場合に、機能構造は光学可変エレメントの設計の一部とすることができ、マット構造は、例えば、フィリグリー（金銀線細工）組ひも飾りパターンを呈する光学可変エレメントの背景領域を形成することができる。ここで、組ひも飾りパターンのフィリグリー線は、太陽電池２３の表面領域の僅かな部分のみを占め、従って、太陽電池２３のエネルギ効率にほとんど影響を与えることはない。この場合に、組ひも飾りパターンは、フィルム体２に刷り重ねることによって実施化されることが好ましい。
【００６０】
更に、リリーフ構造４２についての適切な構造は、図５a乃至図５ｃを参照して後述される如き、太陽電池の方向に太陽電池を囲む表面領域からの光を供給する可能性を提供する。
【００６１】
図５aは、電気的に制御されたディスプレイエレメント７１と、電子回路７２と、太陽電池を有する導光領域７３とを含むフィルム体７０を示している。
【００６２】
このフィルム体７０は、図４ａおよび図４ｂに示された如く作られた転写フィルム７の転写層配列を形成し、この転写層は、キャリアフィルム７４と、剥離層７５と、フィルム体７０を形成する転写層配列とを備えている。太陽電池を有する導光領域７３において、フィルム体７０は、防護ラッカー層７６と、リリーフ構造８４が形成された複製ラッカー層７１と、光学分離層７８と、リリーフ構造８５が形成された第二の複製ラッカー層８２と、第二の光学分離層８３とを有する。導光領域における二つのリリーフ構造８４、８５間には間隔層８６が設けられ、中央領域には有機太陽電池エレメント８７が設けられ、この有機太陽電池エレメントは、図４ａについて既に述べられ、且つ二つの電極層７９、８１とこれらの間に配置された光活性層８０とを備えている。この点について、光活性層８０を単一層または多層システムに形成することができる。
【００６３】
もし、光学間隔層８６が複製ラッカー層７１の材料の屈折率と著しく異なる屈折率を有する材料から成る場合、光学分離層７８を省略することができる。この光学分離層８３は、反射層、例えば、全領域不透明金属層から成っているのが好ましい。
【００６４】
図５aおよび図５ｂに示すように、太陽電池エレメント８７を囲む領域に入射する光は、リリーフ構造の８４、８５の図５ｂに示された特定の構造のために、有機太陽電池エレメント８７の方向に、リリーフ構造８４、８５によって案内され、この結果、そのエレメントに供給された放射エネルギが増大する。供給領域の適当な寸法によって、ここでは、太陽電池エレメント８７を、反射光学可変エレメント、例えば、キネグラムによってパターンを有する全表面領域又は全表面領域に亘って印刷させることができる。更に、光供給リリーフ構造８４および/又は８５を、回析像を発生するリリーフ構造で重ね合わせることができる。従って、結果として生ずる構造は、光を太陽電池エレメント８７に供給する機能と観察者に更なるセキュリティ特性として作用させる光学可変効果の発生とを提供する。
【００６５】
リリーフ構造８４又は８５の一つを省略して一つのリリーフ構造によって光供給を実施させるか又は太陽電池の効果を向上させることもできる。例えば、リリーフ構造８５のみを設けることができ、そのため、マット構造、光沢、交差格子の形態になるように構成することができる。
【００６６】
また、図３乃至図５ｃを参照して述べられた光学活性回析構造および電気機能層の結合を、このような層の重ね合わせでなく、このような層がモザイクの態様で且つ互いに密に織り合わされた態様で互いに並列関係で配列されることによって、実施させることもできる。
【００６７】
低い発光レベルを有するセキュリティドキュメント１の観察者に与える印象を、図６aを参照しておよび輝く発光を有するセキュリティドキュメントのそれを、図６ｂを参照して述べることにする。
【００６８】
図６aは、ディスプレイエレメント２１と、電子回路２２と、一部に印刷された太陽電池２３と、光学可変エレメント２４とを有するセキュリティドキュメント１を示す。数字‘１’および‘２’は、緑色で印刷されている。数字‘５’の形態で形成され且つ有機発光ダイオードの形態で実施されたディスプレイエレメント２１は、起動されないとき、青色で発光する。領域２６において、上述されたディスプレイエレメント２１の領域に配列された光学可変エレメントは、有機発光ダイオードの非起動状態でも視認することができる。
【００６９】
太陽電池２３が照明されたとき、有機発光ダイオードが起動され、この有機発光ダイオードは、図６ｂに示す如く、数字‘５’が赤で発光するように赤い光を発する。ここで、数字‘５’がフラッシュするように電子回路２２が有機発光ダイオードを起動させることもできる。しかし、上述したように、電子回路２２を省略して太陽電池２３を有機発光ダイオードに直接接続することもできる。
【００７０】
図７aおよび図７ｂは、図３乃至図５ｃに示された通り設計されたセキュリティドキュメント９の光学的外観を示している。
【００７１】
図７ａは、三つの別個に起動されるエレクトロクロミックエレメント９１、９２、９３と、電子回路９５と、太陽電池９６と、光学可変エレメント９８とから形成されたディスプレイエレメントを有するセキュリティドキュメント９を示している。これらのエレメントは、可撓性のフィルム体９０に一体化され、このフィルム体は、上述の如く、転写フィルムによってセキュリティドキュメント９の印刷されたキャリアに設けられている。
【００７２】
ここで、太陽電池は、フランスの国の形状に形成され且つセキュリティドキュメント９の設計エレメントを形成する。太陽電池９６は、更に光学可変エレメント９７、キネグラムによって重ね合わされる。また、このようなキネグラムは、ディスプレイエレメント９１の領域に配置されてディスプレイエレメント９１と太陽電池９６との両方を覆う。
【００７３】
低レベルの照明では、エレクトロクロミック９１、９２、９３は、起動されず全て同じ青色に見える。
【００７４】
輝く照明では、エレクトロクロミック９１、９２、９３は、起動されて図７ｂに示すように異なった色に見える。
【００７５】
この点について、一つまたはそれ以上のエレメント９１乃至９３を、エレクトロクロミックエレメントの形態でなく、有機発光ダイオードの形態にさせ、この結果、例えば、数字‘５’が輝く照明では、赤にフラッシュすることができるようにする。
【００７６】
図８aおよび８ｂは、セキュリティドキュメント１００の光学的外観を示し、ここで、図８aは、セキュリティドキュメント１００の前側の一部を示し、図８ｂは、その後側の一部を示す。
【００７７】
図８aに示すように、セキュリティドキュメント１００のキャリアには多層可撓性フィルム体１０１が設けられ、この多層可撓性フィルム体は、太陽電池１０４と、電子回路１０５と、透明な窓１０１の領域に配置されたディスプレイエレメントとを有し、この透明な窓は、セキュリティドキュメント１００のキャリアの外側で楕円形状にスタンプされている。この場合に、ディスプレイエレメントは、図４ｂに示された構造を有し、ここで、電極層６１、６６は、それぞれ二対の電極を備えている。一対の電極は、文字‘＄’の形態であって、一つの領域１０３に設けられ、他の対の電極は、包囲領域１０２の形態に形成されている。
【００７８】
この場合に、太陽電池１０４は、光学可変エレメント１０６、好ましくは、キネグラムで重ね合わされる。今、セキュリティドキュメント１００が照明されたとき、ディスプレイエレメントの対の電極は、逆に分極された電圧を含み、この結果、図８aに示された視覚印象は、セキュリティドキュメントの前側に付与され、図８ｂに示された視覚印象は、その後側に付与される。
【００７９】
電子回路１０５は、通常の場合には二対の電極の極性を変化し、この結果、文字‘＄’は、ダーク背景に対して白に又は白の背景に対してダークに交互に見える。
【図面の簡単な説明】
【００８０】
【図１】本発明に係るセキュリティエレメントの線図。
【図２】図１のセキュリティドキュメントを実際の寸法でない状態で示す概略断面図。
【図３】図１のセキュリティドキュメントのための多層可撓性フィルム体の図。
【図４ａ】図３のフィルム体の断面図。
【図４ｂ】図３のフィルム体の変形例を実際の寸法でない状態で示す線図。
【図４ｃ】図３のフィルム体の変形例を実際の寸法でない状態で示す線図。
【図４ｄ】図３のフィルム体の変形例を実際の寸法でない状態で示す線図。
【図５ａ】図３のフィルム体の変形例を実際の寸法でない状態で示す線図。
【図５ｂ】図３のフィルム体の変形例を実際の寸法でない状態で示す線図。
【図５ｃ】図３のフィルム体の変形例を実際の寸法でない状態で示す線図。
【図６ａ】図１のセキュリティドキュメントを種々の発光状態で示す図。
【図６ｂ】図１のセキュリティドキュメントを種々の発光状態で示す図。
【図７ａ】本発明に係る更なるセキュリティドキュメントを種々の発光状態で示す図。
【図７ｂ】本発明に係る更なるセキュリティドキュメントを種々の発光状態で示す図。
【図８ａ】本発明の更なる実施例に従って、本発明に係る更なるセキュリティドキュメントの前側の一部を示す図。
【図８ｂ】図８aに示された本発明に係るセキュリティドキュメントの後側の一部を示す図。
【符号の説明】
【００８１】
１      セキュリティドキュメント
２      フィルム体
１０    キャリア
２１    ディスプレイエレメント
２４    回析構造    
【図１】
2008513861.tif 000003
【図２】
2008513861.tif 000004
【図３】
2008513861.tif 000005
【図４ａ】
2008513861.tif 000006
【図４ｂ】
2008513861.tif 000007
【図４ｃ】
2008513861.tif 000008
【図４ｄ】
2008513861.tif 000009
【図５ａ】
2008513861.tif 000010
【図５ｂ】
2008513861.tif 000011
【図５ｃ】
2008513861.tif 000012
【図６ａ】
2008513861.tif 000013
【図６ｂ】
2008513861.tif 000014
【図７ａ】
2008513861.tif 000015
【図７ｂ】
2008513861.tif 000016
【図８ａ】
2008513861.tif 000017
【図８ｂ】
2008513861.tif 000018
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
キャリア（１０）と、該キャリアに設けられて一つまたはそれ以上の光学セキュリティ特性を形成する多層可撓性フィルム体（２、７０、９０、１０１）とを備える、特に、紙幣又は身分カードのセキュリティドキュメントであって、前記多層フィルム体（２、７０、９０、１０１）は、光学的に活性な回析構造（２４、４２，８４，８５，９６，９８，1０６）と結合してディスプレイエレメントを作動するための電流源（２３、７３、９６、１０４）と組み合わされて光学セキュリティ特性を発生する電気的に制御されたディスプレイエレメント（２１、７１、９１、９２、９３、１０２、１０３）を有し、
前記ディスプレイエレメントは、パターン又は数の形態で形成されたエレクトロクロミックエレメント（９１、９２、９３）を有するか、又はディスプレイエレメントは、二つの電極層（６１、６６）間に配置された色が異なり充電が異なる複数の粒子（６４、６５）を有することを特徴とするセキュリティドキュメント。
【請求項２】
回析構造（４２）および/又はマイクロ構造が電気的に制御されたエレメント（２１、９１）と重ねられた関係で少なくとも一部に配置され、前記回析構造（４２）および/又はマイクロ構造によって形成された光学効果の光学的外観は、電気的に制御されたディスプレイエレメントによって制御されることを特徴とする請求項１記載のセキュリティドキュメント。
【請求項３】
前記電気的に制御されたディスプレイエレメントは、発光ディスプレイエレメントであり、前記回析構造は、ディスプレイエレメントの発光特性を変更することを特徴とする請求項１又は２記載のセキュリティドキュメント。
【請求項４】
前記回析構造（８４、９７、１０６）は、前記電流源（７３、９６、１０４）と重なる関係で少なくとも一部に配置されていることを特徴とする前記請求項の一つに記載のセキュリティドキュメント。       
【請求項５】
前記電流源（２３、７３、９６、１０４）が太陽電池であることを特徴とする前記請求項の一つに記載のセキュリティドキュメント。
【請求項６】
前記回析構造（８４、８５）および/又はマイクロ構造は、太陽電池（８７）を囲む表面領域から太陽電池へ光を供給するかまたは太陽電池の効率を増大することを特徴とする請求項５に記載のセキュリティドキュメント。
【請求項７】
光を太陽電池へ供給する回析構造は、光学的に認識可能なセキュリティ特性を形成することを特徴とする請求項６記載のセキュリティドキュメント。
【請求項８】
前記太陽電池（９６）は、パターンまたは像の形態に形成され且つキャリアの包囲印刷設計と正確に整合する関係で配置されていることを特徴とする請求項５乃至７の一つに記載のセキュリティドキュメント。
【請求項９】
前記太陽電池（２３）は、部分的にパターン形態で刷り重ねられていることを特徴とする請求項５乃至８の一つに記載のセキュリティドキュメント。
【請求項１０】
前記回析構造は、ディスプレイエレメントに隣接して配置されていることを特徴とする請求項１記載のセキュリティドキュメント。
【請求項１１】
前記可撓性多層フィルム体およびセキュリティドキュメントの隣接領域には共通の実質的に不透明な刷り重ねがパターン形態で設けられていることを特徴とする前記請求項の一つに記載のセキュリティドキュメント。
【請求項１２】
前記パターン形態の刷り重ねは、特性を有する情報を含んでいることを特徴とする請求項１１に記載のセキュリティドキュメント。
【請求項１３】
前記ディスプレイエレメントは、パターン形態で部分的に刷り重ねられ、該刷り重ねは、好ましくは、特性を有する情報を含んでいることを特徴とする前記請求項の一つに記載のセキュリティドキュメント。
【請求項１４】
前記ディスプレイエレメントには、レーザー除去によって特性を有する情報が設けられることを特徴とする前記請求項の一つに記載のセキュリティドキュメント。
【請求項１５】
前記ディスプレイエレメント（２１、７１）は、パターン又は数の形態に形成された有機発光ダイオードを有することを特徴とする前記請求項の一つに記載のセキュリティドキュメント。
【請求項１６】
前記セキュリティドキュメントは、透明な窓（１０１）を有し、ディスプレイエレメント（１０２、１０３）は、前記透明な窓に配置されていることを特徴とする前記請求項の一つに記載のセキュリティドキュメント。
【請求項１７】
前記回析構造は、少なくとも一部が電子回路上に配置され、前記電子回路は、有機半導体エレメントから成り且つディスプレイエレメントを制御することを特徴とする前記請求項の一つに記載のセキュリティドキュメント。
【請求項１８】
前記多層フィルム体は、バッテリー又はエネルギ蓄積のためのキャパシタを有することを特徴とする前記請求項の一つに記載のセキュリティドキュメント。
【請求項１９】
前記可撓性多層フィルム体（２，４，５，６，７）は、光学回析セキュリティ特性を生ずるように形成された光学回析リリーフ構造（４２）を有する複製ラッカー層と、電気的に制御されたディスプレイエレメントの二つ以上の電気的機能層とを有することを特徴とする前記請求項の一つに記載のセキュリティドキュメント。
【請求項２０】
前記多層フィルム体は、有機半導体材料から成る少なくとも一つの電気機能層を有することを特徴とする請求項１６に記載のセキュリティドキュメント。
【請求項２１】
前記キャリア（１０）は、ペーパー材料から成ることを特性とする前記請求項の一つに記載のセキュリティドキュメント。
【請求項２２】
前記多層フィルム体（２、３０、６０、７０）は、転写フィルム（３、４、５、６、７）の転写層配置としてキャリアに設けられることを特徴とする前記請求項の一つに記載のセキュリティドキュメント。
【請求項２３】
一つまたはそれ以上の光学セキュリティ特性を形成する多層可撓性フィルム体（２、３０、６０、７０）をセキュリティドキュメント、特に紙幣または身分カードのキャリア（１０）に形成し且つキャリアフィルム（３１、７４）と前記多層フィルム体（２、３０、６０、７０）を形成する転写層配列とを有する転写フィルム（３、４、５、６、７）であって、前記多層フィルム体（２、３０、６０、７０）は、光学活性回析構造（２４、４２，８４，８５，９６，９８，1０６）と結合してディスプレイエレメントを作動するための電流源（２３、７３、９６、１０４）と組み合わされて光学セキュリティ特性を発生する電気的に制御されたディスプレイエレメント（２１、７１、９１、９２、９３、１０２、１０３）を有し、
前記ディスプレイエレメントは、パターン又は数の形態で形成されたエレクトロクロミックエレメント（９１、９２、９３）を有するか、又はディスプレイエレメントは、二つの電極層（６１、６６）間に配置された色が異なり充電が異なる複数の粒子（６４、６５）を有することを特徴とする転写フィルム（３，４，５，６，７）。
【国際調査報告】
2008513861.tif 000019
2008513861.tif 000020
2008513861.tif 000021
2008513861.tif 000022